(57)【要約】【課題】  画像形成部上面の有効利用を図り、また支持部材の紛失を防止することができる画像形成装置を提供する。【解決手段】  画像形成部１の上方に支持部材２を介して画像読取部３を脱着可能に配置した画像形成装置において、画像読取部脱時、支持部材２が所定位置から退避する構造を有する。【選択図】        図５
2006060618.tif 000002
【特許請求の範囲】
【請求項１】
画像形成部の上方に支持部材を介して画像読取部を脱着可能に配置した画像形成装置において、画像読取部を離脱させる時、支持部材が支持位置から退避する構造を有することを特徴とする画像形成装置。
【請求項２】
請求項１において、支持部材は画像形成部の上面と面一となる位置まで下降することを特徴とする画像形成装置。
【請求項３】
請求項１において、支持部材の画像形成部への嵌合軸が角棒で、その断面寸法ａ、ｂと画像形成部側の角穴寸法Ａ、Ｂとの関係が、Ａ≧ａ、Ｂ＞ｂ、Ｂ≧ａ、ａ＞ｂであり、支持部材は回動自在に画像形成部に支持されていることを特徴とする画像形成装置。
【請求項４】
請求項１において、支持部材の画像形成部への嵌合軸が丸棒であり、支持部材は回動自在に画像形成部に支持されていることを特徴とする画像形成装置。
【発明の詳細な説明】
【技術分野】
【０００１】
本発明は、画像形成部の上方に支持部材を介して画像読取部を脱着可能に配置した画像形成装置に関する。
【背景技術】
【０００２】
昨今のデジタル複写機には、読取部（読取光学系）と画像形成部（感光体を中心とした画像形成ユニット）とを分離可能な別体構造としたものがある。ユニットの配置は、画像形成部の上方に支持部材を介して画像読取部を配置したものが多い。このような構造の画像形成装置において、読取部と画像形成部とを分離して設置する場合、支持部材は画像形成部上方に残るか、取り外されるようになっていた。
【発明の開示】
【発明が解決しようとする課題】
【０００３】
しかしながら、読取部を分離した後で支持部材が画像形成部上方に残っていると、画像形成部上面が排紙トレイとなっている場合、用紙を取り難いなど不便なことが多い。また支持部材を取り外した場合、その部分に穴が空いたり、支持部材を紛失したりする不具合があった。
本発明は、画像形成部上面の有効利用を図り、また支持部材の紛失を防止することができる画像形成装置を提供することを目的とする。
【課題を解決するための手段】
【０００４】
上記目的を達成するために、請求項１記載の発明は、画像形成部の上方に支持部材を介して画像読取部を脱着可能に配置した画像形成装置において、画像読取部脱時、支持部材が所定位置から退避する構造を有する画像形成装置を主要な特徴とする。
請求項２記載の発明は、請求項１において、支持部材は画像形成部の上面と面一まで下降する画像形成装置を主要な特徴とする。
請求項３記載の発明は、請求項１において、支持部材の画像形成部への嵌合軸が角棒で、その断面寸法ａ、ｂと画像形成部側の角穴寸法Ａ、Ｂとの関係が、Ａ≧ａ、Ｂ＞ｂ、Ｂ≧ａ、ａ＞ｂであり、支持部材は回動自在に画像形成部に支持されている画像形成装置を主要な特徴とする。
請求項４記載の発明は、請求項１において、支持部材の画像形成部への嵌合軸が丸棒であり、支持部材は回動自在に画像形成部に支持されている画像形成装置を主要な特徴とする。
【発明の効果】
【０００５】
本発明は、画像形成部の上方に支持部材を介して画像読取部を脱着可能に配置した画像形成装置において、読取部脱時、支持部材が所定位置から退避する構造を有することで、具体的には、支持部材は画像形成部の上面と面一まで下降するようになっており、あるいは支持部材は回動自在に画像形成部に支持されているので、所期の目的を達成することができる。
【発明を実施するための最良の形態】
【０００６】
以下、本発明の実施の形態を図面に従って説明する。
図１は本発明の対象となる画像形成装置の外観斜視図である。本画像形成装置は、画像形成部１の上方に支持部材２を介して画像読取部３を脱着可能に配置した構成となっており、画像形成部１と画像読取部３を分離して、それぞれ単独に機能させることができる。
画像形成部１は、感光体、帯電部、露光部、現像部、転写部、定着部等を備えている。画像読取部３は、光源、ミラー、ＣＣＤ等を備えており、コンタクトガラス上の原稿像を読取る。
図２は本発明の第１の実施形態に係る画像形成装置における分解斜視図、図３は同、支持部材退避状態の斜視図である。画像形成部１は、支持部材２の嵌合軸２１が着脱可能に嵌合される穴１１ａを有した被嵌合ユニット１１を有している。画像形成部１の上面は排紙トレイ１２となっている。画像読取部３を取り外して画像形成部１を単体で使用するときは、図３に示すように、被嵌合ユニット１１を取り外して支持部材２の上面が排紙トレイ１２となるように、支持部材２を画像形成部の上面に設けた凹所（段差）状の支持部１３に着座させる。
【０００７】
図４は本発明の第１の実施形態の変形例に係る画像形成装置における支持部材退避状態の斜視図である。支持部材２の上部にカバー４を被せて外観を整える。
この例では、支持部材２は画像形成部１の上面側部に設けた長い溝部１４内に着脱自在に嵌合し、図示した嵌合状態では支持部材２の上面は画像形成装置１の上面と無段状（面一）になる。或いは、カバー４を被せることによりカバー外面が画像形成装置の外面と無段状になる。
図５は本発明の第２の実施形態に係る画像形成装置における支持部材退避状態の斜視図、図６は第２の実施形態における支持部材の嵌合軸と画像形成部の嵌合穴の寸法関係を示す図である。
嵌合軸２１は角棒であるが、図６に示すように、断面寸法ａ、ｂと画像形成部１側の角穴（嵌合穴１５）寸法Ａ、Ｂとの関係が、Ａ≧ａ、Ｂ＞ｂ、Ｂ≧ａ、ａ＞ｂであり、支持部材２は回動自在に画像形成部１に支持されている。そして、画像読取部３を取り外して画像形成部１を単体で使用するときは、図５に示すように、支持部材２を９０度回転して図１に示した支持位置から退避させる。
図７は本発明の第３の実施形態に係る画像形成装置における支持部材退避途中状態の斜視図である。第３の実施形態では、嵌合軸２１が丸棒であり、支持部材２は回動自在に画像形成部１に支持されている。そして、画像読取部３を取り外して画像形成部１を単体で使用するときは、支持部材２を９０度回転して下方へ退避させる。
【図面の簡単な説明】
【０００８】
【図１】本発明の対象となる画像形成装置の外観斜視図。
【図２】本発明の第１の実施形態に係る画像形成装置における分解斜視図。
【図３】本発明の第１の実施形態に係る画像形成装置における支持部材退避状態の斜視図。
【図４】本発明の第１の実施形態の変形例に係る画像形成装置における支持部材退避状態の斜視図。
【図５】本発明の第２の実施形態に係る画像形成装置における支持部材退避状態の斜視図。
【図６】第２の実施形態における支持部材の嵌合軸と画像形成部の嵌合穴の寸法関係を示す図。
【図７】本発明の第３の実施形態に係る画像形成装置における支持部材退避途中状態の斜視図。
【符号の説明】
【０００９】
１  画像形成部、２  支持部材、３  画像読取部、１２  排紙トレイ、２１  嵌合軸
【図１】
2006060618.tif 000003
【図２】
2006060618.tif 000004
【図３】
2006060618.tif 000005
【図４】
2006060618.tif 000006
【図５】
2006060618.tif 000007
【図６】
2006060618.tif 000008
【図７】
2006060618.tif 000009